(57)【要約】【課題】操作者に、ディスプレイが観察されないか又は観察され得ない場合にも指令入力が成功したことについての知覚可能な返答を与える。【解決手段】操作面８に、指令信号の発生に依存して操作面８のタッチ個所に操作者によって触覚的に知覚可能な第１の信号を発生するための電気的に駆動可能な手段５が付設され、この電気的に駆動可能な手段５は局部的に駆動可能な圧電層６を含み、触覚的に知覚可能な信号を、圧電層６の変形によって発生された１つ又は複数の局部的な機械的衝撃または局部的な機械的振動の形で発生し、十分なタッチが行なわれる前に電気的に駆動可能な手段５を介して、指令入力のための局部的なディスプレイ範囲が能動状態にあることにあることを利用者に示す触覚的に知覚可能な第２の信号が発せられ、触覚的に知覚可能な第１の信号と触覚的に知覚可能な第２の信号とは周波数又は機械的衝撃が異なる。【選択図】    図３
2005078644.tif 000002
【特許請求の範囲】
【請求項１】
局部的なタッチにより指令入力を行い十分なタッチ時に指令信号を発生するためのタッチ式操作面（８）を備えたディスプレイにおいて、操作面（８）に、指令信号の発生に依存して操作面（８）のタッチ個所に操作者によって触覚的に知覚可能な第１の信号を発生するための電気的に駆動可能な手段（５）が付設され、この電気的に駆動可能な手段（５）は局部的に駆動可能な圧電層（６）を含み、触覚的に知覚可能な信号を、圧電層（６）の変形によって発生された１つ又は複数の局部的な機械的衝撃または局部的な機械的振動の形で発生し、十分なタッチが行なわれる前に電気的に駆動可能な手段（５）を介して、指令入力のための局部的なディスプレイ範囲が能動状態にあることを利用者に示す触覚的に知覚可能な第２の信号が発せられ、触覚的に知覚可能な第１の信号と触覚的に知覚可能な第２の信号とは周波数が異なっているか又は触覚的に知覚可能な第１の信号と触覚的に知覚可能な第２の信号とは機械的衝撃が異なっていることを特徴とするタッチ式操作面を備えたディスプレイ。
【請求項２】
圧電層（６）は操作面（８）の上側または下側に配置されていることを特徴とする請求項１記載のディスプレイ。
【請求項３】
圧電層（６）自体が指令入力の検出および指令信号の発生に使われることを特徴とする請求項２記載のディスプレイ。
【請求項４】
触覚的に知覚可能な第１の信号の期間及び／又は強度は、操作面（８）の連続タッチの際に、与えられた指令入力の情報内容に関係して変えられることを特徴とする請求項１乃至３の１つに記載のディスプレイ。
【請求項５】
電気的に駆動可能な手段（５）を介して、指令入力を行なうことのできる操作面（８）の局部的範囲は三次元で表示されることを特徴とする請求項１乃至４の１つに記載のディスプレイ。
【請求項６】
電気的に駆動可能な手段（５）を介して、操作面（８）の局部的範囲は直線（１２）に沿って移動されるべきスライダまたはコントローラ形式の操作要素（１１´）の形で表示可能であり、操作要素（１１´）は電気的に駆動可能な手段（５）の適当な駆動によって移動中に少なくとも移動方向側の側面を駆動による変形により触覚的に知覚可能に形成されていることを特徴とする請求項５記載のディスプレイ。
【請求項７】
電気的に駆動可能な手段（５）を介して、操作面（８）の局部的範囲が直線（１２）に沿って移動されるべきスライダまたはコントローラ形式の操作要素（１１´）の形で表示可能であり、操作要素（１１´）は電気的に駆動可能な手段（５）の適当な駆動によって移動中に全側面を駆動による変形により触覚的に知覚可能に形成されていることを特徴とする請求項５記載のディスプレイ。
【発明の詳細な説明】
【技術分野】
【０００１】
本発明は、操作面への局部的なタッチにより指令入力を行い十分なタッチ時に指令信号を発生するためのタッチ式操作面を備えたディスプレイ（表示画面）に関する。
【背景技術】
【０００２】
このようなディスプレイ（表示画面）はしばしば“タッチスクリーン”と呼ばれ、良く知られており、至る所で使用されている。利用者はディスプレイに付設されたデータ処理装置とどのような方式であれ等しく対話式に交信する。付設されたデータ処理装置側でいつものような反応を生じる又は情報の発信に使用され以下においては一般に“指令入力”と呼ばれる入力を行なうために、操作者は場合によっては光学的に浮き立たされた位置にある操作面だけをタッチする（触る）。このタッチは操作面に付設された検出手段によって検出され、十分に力強いタッチ（接触）時に指令入力から生じる相応の指令信号が発生され、この指令信号がデータ処理装置に与えられる。指令入力のためのタッチが十分であった場合、すなわち指令信号が発生された場合、通常、例えばディスプレイ面上の表示が変えられることによって、又は例えば入力ボタン等によって表示したタッチ範囲がこれまでとは異なった色で表示される等によって、光学的な返答がディスプレイを介して与えられる。
【０００３】
しかし、これは多くの理由から欠点を有する。１つには、光学的な返答がしばしばはっきりせず、見え難い。これは特にＬＣＤ表示装置を有するディスプレイにおいて周囲が若干明るいか又は視角が斜めである際に生じる。これは特に操作者に見え難くする問題をもたらす。さらに、操作者に返答が与えられる場合、操作者はその注意を直ちにたった今ディスプレイに向けなければならない。これはしかしタッチディスプレイを介して機器または装置の制御が行なわれる多くのケースにおいてしばしば可能ではない。というのは、制御されるべき多くの作業は、ディスプレイをあてずっぽうに操作しそれと同時にその操作の結果生じるアクションを観察することを必要とするからである。この例を挙げると、例えばＸ線管とＸ線受信器とが特定の位置を移動しなければならないＸ線装置のような医療装置の操作があり、このために従来技術ではジョイステッキが使用されている。操作者は駆動された構成要素を観察するが、自分が操作しているジョイステッキを観察しない。タッチディスプレイの使用はこのような場合には可能ではない。
【０００４】
非常に視力の弱い人または盲目の人は同様にタッチディスプレイでの作業を通常の場合には行なうことができない。というのは、提供された情報は秒毎に光学的に操作者に伝達され、返答も光学的にのみ行われるからである。
【発明の開示】
【発明が解決しようとする課題】
【０００５】
それゆえ、本発明の課題は、操作者に、ディスプレイが観察されないか又は観察され得ない場合にも指令入力が成功したことについての知覚可能な返答を与えるディスプレイを提供することにある。
【課題を解決するための手段】
【０００６】
この課題を解決するために、本発明によれば、冒頭で述べた種類のディスプレイにおいて、操作面に、指令信号の発生に依存して操作面のタッチ個所に操作者によって触覚的に知覚可能な第１の信号を発生するための電気的に駆動可能な手段が付設される。
【０００７】
本発明は、触覚的に検出可能な信号を発生する手段を組み込むことを意図している。この手段は、指令信号を発生させる十分なタッチ（接触）が行なわれた場合にかかる触覚的に検出可能な信号を発生する。触覚的に知覚可能な信号はタッチ個所に発生され、これは指令信号の発生とほぼ同時に行なわれ、それゆえ操作面個所がまだなおタッチされることが保証される。このタッチは操作者によって例えば指で直接に行なうことができるが、しかし操作者が手に掴んだ操作ペンを介して間接的に行なうこともできる。何れの場合にも操作者は成功した指令入力を介して触覚的に知覚可能な返答情報を得る。操作者は返答情報を、直接タッチの場合には接触に最高に感応する指を介して知覚し、間接タッチの場合には触覚的に知覚可能な信号を減衰させることなく継送する硬く剛い操作ペン等を介して知覚する。
【０００８】
これによって、操作者は何れの場合にもディスプレイを注視するか否かに関係なく知覚可能な返答信号を得ることが可能になる。触覚的に知覚可能な信号の発生がタッチによって生じる信号の発生に直接に関係することによって、同様に、触覚的に知覚可能な信号は、実際の信号発生、従って指令入力が行なわれ、それにより誤情報が排除される場合にのみ発生されることが保証される。
【０００９】
触覚的に知覚可能な信号を発生するための手段として、操作面に付設されマトリクスの形式で局部的に駆動可能である圧電層が設けられると好ましい。圧電層は局部的に電気的に駆動することができ、これによって、圧電層が三次元に変形し、この変形が操作者に与えられるべき触覚的に知覚可能な情報の出発点となる。圧電層は操作面の上側または下側に配置することができる。重要なことは、圧電層がディスプレイ面上の重要な情報の光学的表示に影響しないか又は少ししか影響しないことだけである。通常、例えばＬＣＤディスプレイは液晶マトリクスを覆う外側層を有し、この外側層にタッチスクリーンの場合には透明の形のタッチ面が設けられる。その構成はディスプレイ面にタッチ面が設けられている他のディスプレイ、例えば陰極線モニタ、ダイオードディスプレイ、真空蛍光ディスプレイ、プラズマディスプレイ、又はテレビ、ビデオディスプレイと同じである。タッチスクリーンディスプレイの構成は十分知られており、それゆえここでは詳細な説明を省略する。タッチ面の下側に、薄い必然的に透明な形の圧電層を、同様に透明な駆動線と一緒に設け、それにより圧電層を介して触覚的に発信可能な情報を、直接に、指または操作ペン等で操作され通常は容量的に動作するタッチ面に与え、そこで知覚されるようにすることが考えられる。しかし、圧電層をタッチ面上に設けることも考えられ、圧電層が十分に薄い場合圧電層はその透明性の他に十分に変形可能となり、それゆえ機械的な指令入力を圧電層の下側に位置する操作面に導くことができる。
【００１０】
本発明の特に好ましい構成によれば、圧電層自体が指令入力の検出および指令信号の発生に使われる。上述したように、圧電層は、電気的に駆動されると幾何学的な形状変更を生じ、一方同じように幾何学的な形状変更をもたらすと電気信号を発生する。すなわち、タッチされそのタッチによって変形する際に電気信号を発生し、ほぼ同時に次のステップにおいてこの個所で電気的な層駆動によって触覚情報を発生することが可能である。
【００１１】
触覚的に知覚可能な信号は圧電層の変形によって発生された１つ又は複数の局部的な機械的衝撃によって実現することができる。すなわち、利用者は電気的な駆動によって惹き起こされた層変形により生じる１つ又は複数の機械的衝撃を得る。つまり、利用者は指で衝撃的な叩きを感じる。その代わりに、機械的振動を用いることも可能である、すなわち、それぞれの層部分が振動を発生させるために相応の周波数で駆動される。
【００１２】
触覚的に知覚可能な信号を発生する装置を組み込むことは、成功した指令入力の場合に触覚的に知覚可能な返答を発生することができるだけではない。本発明の好ましい構成によれば、十分なタッチが行なわれる前に電気的に駆動可能な手段を介して、指令入力のための局部的なディスプレイ範囲が能動状態にあることを利用者に示す触覚的に知覚可能な第２の信号を発することができる。すなわち、利用者はこの触覚的に知覚可能な第２の信号によって、自分が操作したいディスプレイ範囲がそもそも能動状態にあるのか否かすなわちそのディスプレイ範囲を介してそもそも指令入力を行なうことが可能であるか否かに関する情報を得る。利用者には一般的な能動状態（指令入力を行うことのできる状態）を示す触覚的に知覚可能な信号、例えば非常に低い周波数の振動が与えられ、利用者はこの振動を僅かなタッチ（接触）によって知覚することができる。利用者がこの個所で指令入力を行なう場合、利用者には指令入力が成功したことを返答する触覚的に知覚可能な第１の信号が与えられ、それにより利用者は所望の指令が同様に実際に受入れられたことを認識する。この信号はその場合以前に与えられ通常の能動状態を表示する信号に比べて明らかに高い周波数を有している。その代わりに、触覚的に知覚可能な第１の信号と触覚的に知覚可能な第２の信号とを異なる強さの機械的衝撃の形で実施することも考えられる。通常の能動状態に関する情報のために例えば非常に僅かな変形（例えば１／１０ｍｍ）が生じ、一方指令入力が成功したことについての返答の発信のために明らかに強い機械的変形、従って明らかに力強い機械的衝撃を達成するための明らかに強い駆動が行なわれる。この情報は、とりわけ電気的に駆動可能な手段を介して操作面の局部範囲（ここで指令入力を行なうことが基本的に可能である）を三次元に表示する本発明と結びついて、特に視力の弱い人のためには非常に重要である。本発明によって、操作要素を、利用者が感じ取ることのできるように三次元に構成することができる。このような操作要素が能動状態にあることを示す振動信号等の発信と結びついて、操作者は、自分が正しい操作要素をタッチし正確な入力を行なうことができることを簡単かつ確実に認識することができる。
【００１３】
上述したように、本発明によるディスプレイによれば、特に、操作者はこのディスプレイを或る程度“あてずっぽう”に操作し、実際に指令を入力したか否かに関する返答を得ることができる。その指令は、簡単な一回のタッチによって与えられる個別の指令の入力であってもよく、また、例えば後に接続されている装置等の制御に必要であるパラメータの設定または変更のためにディスプレイの対応する個所が相応に長く押され、これによって例えばパラメータが数量的に連続して変えられる形の指令であってもよい。上述したようにＸ線装置の制御に使用する場合、かかるパラメータとして例えばＸ線管の作動電圧が相応に設定される。この代わりに、定められた空間位置を動き、ディスプレイを介してＸ、Ｙ、Ｚ座標を設定することができる。このパラメータ設定が多少とも“あてずっぽう”に行なわれる限り、ディスプレイ面部分の操作時間によってパラメータが許容できない範囲内に変えられるかもしくはパラメータがその最大限界または最小限界に変更されることが起こり得る。操作者にこれに関する情報を与えるために、本発明の好ましい実施態様によれば、十分なタッチ時に、従って電気的指令信号の発生時に発せられる触覚的に知覚可能な第１の信号の期間及び／又は強度は、操作面の連続タッチの際に、与えられた指令入力の情報内容に関係して変えられる。すなわち、操作者は、自分がパラメータを例えば危険な範囲内へ変えると、或る程度連続的に発せられる通常は触覚的に知覚可能な信号よりも例えば明らかに強い触覚情報を得る。これによって、操作者はパラメータを例えば高めるか又は低めるように修正する。同様に振動周波数を明らかに変え、それにより操作者は同様の情報を得ることができる。同様に触覚的に知覚可能な信号が突然に終了し、このことを操作者が同様に直ちに記録することも考えられる。触覚的に知覚可能な信号の期間及び／又は強度の変更は連続的な操作を介して与えられる情報内容、今は変更により調整されたパラメータ等に関係する。
【００１４】
既に述べたように、圧電層のような三次元に変形可能かつ電気的に駆動可能な手段を使用して操作要素を三次元に表示することが可能である。先ず、入力ボタンまたは“ボタン”の表示を考えねばならない。しかし、通常のディスプレイ表示によって知られておりＰＣディスプレイではマウスによって移動させられる“スクロールバー”と同様に、コントロール要素またはスライド要素を表示することも可能である。このようなスライダ又はスライダコントローラを本発明による触覚的に知覚可能な返答と結び付けて実現し得るために、電気的に駆動可能な手段は、表面範囲が直線に沿って移動させられるべきスライダ又はコントローラ形式の操作要素の形で駆動されるように駆動され、その場合電気的に駆動可能な手段の適当な駆動によって移動中に少なくとも移動方向側の側面を、特に全側面を機械的変形により触覚的に知覚可能に形成される。従って、操作者は変形可能な層の相応の変形によって実現された触覚的に知覚可能な“隆起部”を押す。操作者はぼんやりと或る種の抵抗を感じる。この“隆起部”によって実現されたスライダの移動が行われ信号発生が生じる場合、この“隆起部”は僅かに振動する。特に全側面の形成は指での直接タッチの際に形状の十分な知覚を提供し、指が或る程度案内される。操作ペンが使用される場合、この操作ペンは変形により実現された窪み内で静止し、僅かに案内され、直線に沿って良好に移動させられる。
【発明を実施するための最良の形態】
【００１５】
本発明の他の利点、特徴および細部は以下において説明する実施例および図面から明らかになる。
図１は部分的側面断面図で示す本発明によるタッチディスプレイの原理図、
図２は操作要素の三次元構成と操作要素が能動状態にあることを示す触覚的に知覚可能な第２の信号の発信とのために駆動された圧電層を備えた図１に対応する断面図、
図３は操作面を介する指令の入力時に指令信号発生を返答する触覚的に知覚可能な信号を発するための圧電層の駆動を示す図２に対応する断面図
図４はスライダ又はコントローラ形式の操作要素を表示するための本発明によるディスプレイの展開図
図５は触覚的に知覚可能な信号の周波数の指定と共に連続的なパラメータ設定中の２つのディスプレイを示す図
【００１６】
図１は本発明によるタッチディスプレイ１の原理図を示す。図１には主要要素のみが示されている。図示された実施例におけるディスプレイ１はＬＣＤつまり液晶表示部２を含んでいる。この液晶表示部２は２つの上側および下側カバー層３を有する詳細に示されていない多数の個別液晶セルから成り、２つの上側および下側カバー層３の間隔は通常１０μｍより少ない。各カバー層３は一方ではガラス板から構成され、その内面には特殊な配向層を有する透明電極が設けられている。配向層として大抵ポリイミド層が使用される。透明電極材料としては特にインジウム−スズ酸化物層（ＩＴＯ層）が使用される。カバー層３間には液晶層４が存在する。液晶表示部２の表示可能な情報内容は初めに図形表示可能な配置で製作された透明電極のパターン化によって決定される。このような液晶表示部の構成は知られており、ここでは詳細な説明を必要とされない。
【００１７】
液晶表示部２の上面には電気的に駆動可能な手段５が圧電層６の形で設けられている。圧電層６は多数の個々に駆動可能な層部分７を有している。各層部分７は詳細に示されていない適当な電極マトリクスを介して駆動される。圧電層６が液晶表示部２の上側に配置される場合、圧電層６は液晶表示部２上の情報表示を認識し得るようにするために電極マトリクスと同様に透明でなければならない。
【００１８】
圧電層６上には上面側にタッチ面８が設けられている。このタッチ面８はタッチ（接触）に感応する通常は容量性母材から構成されており、この母材はタッチ時にタッチによる十分な機械的変形によりその変形個所に電気信号を発生する。この電気信号は利用者によって入力された操作指令の電気的表示であり、検出可能である。このようなタッチ式操作面の機能態様ならびに構成は知られており、それゆえここでは詳細な説明を必要とされない。
【００１９】
中心要素は上述した圧電層６の形の電気的に駆動可能な手段５である。圧電層６の形成のために、大きな面の完全な層の形成を可能であるあらゆる圧電材料を使用することができる。一例を挙げると、ここでは例えばＰｂ（Ｚｒ−Ｔｉ）Ｏ3混合結晶体（いわゆるＰＺＴセラミックス）および類似物のように多結晶に製造し得る特にセラミックスをベースとする圧電材料がある。この列挙は枚挙のいとまがなく、一例に過ぎない。この圧電層６の機能態様は図２および図３に基づいて明らかになる。
【００２０】
ディスプレイ１にはそのディスプレイ１を制御する制御装置９が付設されている。この制御装置９は、一方では液晶表示部２を介して行なわれる表示を制御し、さらに圧電層６ならびに表示面８に接続されている。
【００２１】
液晶表示部２を介する画像表示から出発して、圧電層６の相応の駆動によって圧電層６を介して例えば１つの操作要素（この操作要素は図２の破線範囲Ａの液晶表示部２上に純粋に光学的に表示されている）を三次元にすなわち外側から感知可能に表示することが可能である。このために、詳細に示されていない駆動用電極マトリクスを介して、操作要素が光学的に表示されている液晶表示部２の範囲Ａの上側に配置されている複数の局部的な層部分７が駆動され、それによってその複数の局部的な層部分７はその形状を変え、これによって図２に示されているようにこの範囲Ａに局部的な盛り上がりが達成される。十分に可撓性のある操作面８が圧電層６に直接に結合されている場合、この圧電層６も同様に変形し、それにより全体的に僅かな隆起を感じ取ることができる。この隆起は表示された操作要素の位置に関連している。
【００２２】
特に、三次元に表示された多数の操作要素がディスプレイ上に同時に表示されている場合、三次元に表示された操作要素が指令入力に対しても能動状態であるすなわちそのような指令入力が操作要素を介して可能であるという最初の情報を操作者に与えるために、圧電層６つまり操作要素の表示のために既に駆動され変形された層部分７が、駆動装置７を介して駆動され、それぞれの層部分７内に両方向矢印によって示されているように特に比較的低い特定の周波数ｆ1で振動させられる。すなわち、利用者は操作要素の位置を感じ取り、正しい操作面部分に指１０でタッチ（接触）することを知ると共に、利用者は指１０を介して直ちに触覚的に知覚可能な情報信号を得、同様にこの操作要素を介して実際に指令を入力することができる。圧電層部分の幾何学的変形を惹き起こす電圧が周波数ｆ1により変えられる駆動中、圧電層部分の電気的に惹き起こされた変位が連続的に変えられ、一方同時に三次元の操作要素の表示のために最小変位が得られ続ける。
【００２３】
今、操作者が、自分がタッチした操作要素を介して指令入力を行なうことができることを触覚的に知った後、その指令入力を実際に行いたい場合、図３に矢印Ｐで示されているように、操作者は指１０で操作面８のこの部分を押圧する。この押圧によって一方では、上述したように詳細に示されていない操作面８の検出母材が、十分に力強いタッチ（接触）の際に指令入力の結果としての電気的情報を表わす電気信号Ｓを発生する。この電気信号Ｓは制御装置９に与えられる。制御装置９は、この電気信号Ｓが供給されると直ちに、既に以前から駆動されている層部分７を制御して、層部分７を周波数ｆ1に比べて明らかに高い周波数ｆ2で振動させ、高い周波数ｆ2での振動によって利用者に、自分の指令入力が認識され指令信号が発生されたことを示す触覚的に知覚可能な返答信号を与える。利用者は自分に与えられた情報の明確な区別を知覚することができる。
【００２４】
“能動状態の表示”と“指令入力に対する返答”との２つの状態間で周波数を変える代わりに、層部分７およびその変形によって発することのできる機械的衝撃を変えることが可能である。図２から出発して例えば層部分７が情報発信“能動状態”のために低電圧で駆動され、それにより層部分７の変位が僅かになり、従って機械的変形が僅かになり、よって僅かな機械的衝撃が伝達され、一方“返答”発信のために層部分７は同じ周波数であるが高電圧で駆動され、これによって明らかに強い機械的変位、従って操作者が知覚することのできる強い機械的衝撃が生じる。
【００２５】
図４は図１に示された要素すなわち液晶表示部２と、圧電層６と、操作面８とを展開図としての原理図の形で示す。液晶表示部２上には図示されている例ではスライダ１１が表示されている。このスライダ１１は指令入力のために同様に示されている直線軌道１２に沿って“移動”することができる。対応する“スライダ１１´”は圧電層６の相応の駆動によって模擬されている。ここでは圧電層部分７は、スライダ１１´の側面の形成が生じ、それにより一方では利用者のための操作面８で指１０によってこのスライダ１１´が感知可能になり、他方では僅かな窪みが生じるつまり感じ取ることができるように、駆動される。この窪みは、縁部側を形成されて駆動されそれによって変形された層部分７を介して作成される。この窪み内には指１０（又は、手に掴んだ操作ペンもしくは類似のもの）が受入れられ、若干導かれる。スライダ１１つまり１１´を軌道１２に沿って移動させたい場合、指１０が先ず矢印Ｐによって示されているように三次元で表示されたスライダ１１´を押し、このスライダ１１´を引続いて矢印Ｂによって示されているように右側または左側へ直線軌道１２に沿って押す。移動方向に応じて連続的に一方では圧電層部分７の駆動が変わり、それにより三次元的にスライダの移動を感じ取ることができ、触覚的に知覚可能に表示される。スライダ１１´の移動により同様に連続的な指令入力が行なわれるつまりこの指令入力によって制御パラメータの変化が生じると、制御装置９を介して圧電層６の層部分７の、移動方向において指１０の前にある一部が、返答を表わす振動信号または衝撃信号の発信のために駆動される。これによって、操作者は連続的に情報を得、操作者によって望まれたスライド又はコントロール変更が実際に相応の指令信号の発生のために導かれる。
【００２６】
図５は、任意のパラメータ、例えば装置又は機械の作動パラメータの設定を示す２つのディスプレイ図を原理図の形で示す。左側のディスプレイ図には、出発パラメータとして任意事項つまり任意内容であってもよいパラメータ“ａ”が示されている。これに付設して、操作者に上述のように三次元に表示される２つの操作要素１３ａ，１３ｂが設けられている。操作者がパラメータ“ａ”の変更を希望した場合、これは“＋”符号を付されている操作要素１３ａの押圧によって可能である。パラメータ設定は例えばあてずっぽうに行なうべきである。何故ならば、操作者はパラメータ調整に対する反応を見ることのできる他の装置部分を観察したいからである。
【００２７】
“＋”符号を持つ操作要素１３ａが押された場合、操作要素１３ａは先ず周波数ｆ2すなわち行なわれた指令信号発生についての返答つまり指令信号発生から生じたパラメータ変更を表わす上述した周波数で振動する。パラメータ“ａ”は操作要素１３ａが押され続ける限り連続的に変化する。これはパラメータが最大値“ｚ”に変えられるまで時間Δｔの間行なわれる。それ以上のパラメータ変更は可能ではないか、又はパラメータを危険範囲内へ変える（これは行なってはならない）。操作者にこのことを通報するために、圧電層、従って操作要素１３ａを介して与えられる返答信号の周波数が周波数ｆ2に比べて明らかに変わり、それにより操作者はこのことを容易に認識することができる。例えば、周波数は明らかに高くなっていてもよいが、しかし零であってもよい、すなわち振動が突然に中止する。操作者はこれによって直接に警告を受ける。
【００２８】
勿論、そのようなケースにおいて音響信号を並列的に発生させることも可能である。同様に、与えられる衝撃の変化率を変えることができる。
【００２９】
最後に、液晶表示部２の代わりに勿論全ての他の表示装置、例えばＴＦＴ表示装置、陰極線ディスプレイ等を使用することができる。液晶表示部２は１つの実施例に過ぎず、これに限定されない。
【図面の簡単な説明】
【００３０】
【図１】部分的側面断面図で示す本発明によるタッチディスプレイの原理図
【図２】操作要素の三次元構成と操作要素が能動状態にあることを示す触覚的に知覚可能な第２の信号の発信とのために駆動された圧電層を備えた図１に対応する断面図
【図３】操作面を介する指令の入力時に指令信号発生を返答する触覚的に知覚可能な信号を発するための圧電層の駆動を示す図２に対応する断面図
【図４】スライダ又はコントローラ状の操作要素を表示するための本発明によるディスプレイの展開図
【図５】触覚的に知覚可能な信号の周波数の指定と共に連続的なパラメータ設定中の２つのディスプレイを示す図
【符号の説明】
【００３１】
１        タッチディスプレイ
２        液晶表示部
３        カバー層
４        液晶層
５        電気的に駆動可能な手段
６        圧電層
７        圧電層部分
８        タッチ式操作面
９        制御装置
１０        指
１１，１１´        スライダ
１２        直線軌道
１３ａ，１３ｂ        操作要素
【図１】
2005078644.tif 000003
【図２】
2005078644.tif 000004
【図３】
2005078644.tif 000005
【図４】
2005078644.tif 000006
【図５】
2005078644.tif 000007